(57)【特許請求の範囲】
【請求項１】
本体に複数種類の針を収容して、複数種類の針を選択的に使用できるように構成したステプラーにおいて、
本体に針収容ケースを前後反転可能かつ着脱可能に設けるとともに、針収容ケースの前端部に第一の針を排出する第一排出口を形成する一方、針収容ケースの後端部に第二の針を排出する第二排出口を形成したことを特徴とするステプラー。
【請求項２】
前記第一の針を第一排出口へ向けて押圧する第一押圧体と前記第二の針を第二排出口へ向けて押圧する第二押圧体とを設けるとともに、これら第一押圧体と第二押圧体との間にスプリングを介設したことを特徴とする請求項１に記載のステプラー。
【発明の詳細な説明】
【技術分野】
【０００１】
本発明は、ステプラーに関するものであり、特に、本体に複数種類の針を収容して、複数種類の針を選択的に使用できるように構成したステプラーに関するものである。
【背景技術】
【０００２】
一般的に、ステプラーは、１種類の専用の針を針収容ケースに収容し、収容した１種類の針だけが使用できるように構成している。
【０００３】
そのため、ステプラーを用いて綴じ込むシートの枚数や材質や厚みなどが多種類にわたる場合には、それに応じてサイズや径の異なる複数種類の針が使用できるステプラーを使い分ける必要がある。
【０００４】
そこで、従来においては、本体に複数種類の針を収容し、複数種類の針を選択的に使用できるように構成したステプラーが開発されている。
【０００５】
たとえば、特許文献１に開示されたステプラーでは、本体に複数個の針収容ケースを円弧上に移動可能に配置するとともに、各針収容ケースに異なる種類の針を収容しており、いずれかの針収容ケースを移動させて選択し、選択した針収容ケースに収容した針を使用できるように構成している。
【０００６】
【特許文献１】特開平６−７９６４８号公報
【発明の開示】
【発明が解決しようとする課題】
【０００７】
ところが、上記従来の複数種類の針を選択使用できるステプラーでは、複数個の針収容ケースを備えていたために、ステプラーが大型化・重量化してしまい、使い勝手が悪く、また、価格も高いものであった。
【課題を解決するための手段】
【０００８】
そこで、請求項１に係る本発明では、本体に複数種類の針を収容して、複数種類の針を選択的に使用できるように構成したステプラーにおいて、本体に針収容ケースを前後反転可能かつ着脱可能に設けるとともに、針収容ケースの前端部に第一の針を排出する第一排出口を形成する一方、針収容ケースの後端部に第二の針を排出する第二排出口を形成することにした。
【０００９】
また、請求項２に係る本発明では、前記請求項１に係る本発明において、前記第一の針を第一排出口へ向けて押圧する第一押圧体と前記第二の針を第二排出口へ向けて押圧する第二押圧体とを設けるとともに、これら第一押圧体と第二押圧体との間にスプリングを介設することにした。
【発明の効果】
【００１０】
そして、本発明では、以下に記載する効果を奏する。
【００１１】
すなわち、本発明では、本体に針収容ケースを前後反転可能かつ着脱可能に設けるとともに、針収容ケースの前端部に第一の針を排出する第一排出口を形成する一方、針収容ケースの後端部に第二の針を排出する第二排出口を形成しているために、本体に装着する針収容ケースの前後の向きを変えるだけで１個の針収容ケースで第一及び第二の針の２種類の針を選択的に使用することができる。これにより、２種類の針を選択的に使用できるステプラーでありながら、一般的な１種類のみの針を使用できるステプラーと同等のサイズ、重量、使い勝手、価格とすることができる。
【００１２】
また、本発明では、第一の針を第一排出口へ向けて押圧する第一押圧体と第二の針を第二排出口へ向けて押圧する第二押圧体とを設けるとともに、これら第一押圧体と第二押圧体との間にスプリングを介設しているために、第一押圧体を押圧するためのスプリングと第二押圧体を押圧するためのスプリングとを１個のスプリングで兼用することができるので、２種類の針を選択的に使用できるステプラーのさらなる小型軽量化や低コスト化を図ることができる。
【発明を実施するための最良の形態】
【００１３】
以下に、本発明に係るステプラーの具体的な構成について図面を参照しながら説明する。
【００１４】
図１〜図４に示すように、ステプラー１は、本体２に針収容ケース３を着脱自在に装着した構造となっており、針収容ケース３に２種類の第一の針４及び第二の針５を収容し、これら第一及び第二の針4,5のうちいずれか一方を選択的に使用できるようにしている。
【００１５】
本体２は、１枚の矩形板を断面Ｕ字状に弾性変形可能に折曲して挟持体６を形成し、この挟持体６の基端部（折曲部）下側に前高後低状の傾斜面を有する針抜き７を後方へ向けて形成するとともに、挟持体６の先端上部下面に押圧片８を下方へ向けて形成し、一方、挟持体６の先端下部上面に第一及び第二の針4,5を受けて折曲するための針受け溝9,10を前後に間隔をあけて形成している。図中11は、挟持体６に形成した矩形状の貫通孔で、挟持体６の軽量化を図るとともに、針収容ケース３に収容した第一及び第二の針4,5の残数を外部から確認できるようにしている。また、図中12は、第一の針４又は第二の針５を押下する板バネである。
【００１６】
また、本体２は、針収容ケース３を連結するための連結体13を挟持体６の基端部に形成しており、この連結体13に挟持体６の基端部内側に取付けた断面円弧状の連結片14を形成するとともに、連結片14の左右側部に円板状の連結板15,16を形成し、各連結板15,16の中心部に貫通状の連結孔17を形成している。
【００１７】
針収容ケース３は、前後方向に向けて伸延させた矩形箱型状のケーシング18の前後端左右側部に突起状の連結軸19,19,20,20を形成している。
【００１８】
そして、針収容ケース３は、ケーシング18に形成した前側又は後側の連結軸19,19,20,20を本体２の連結体13に形成した連結孔17に内側から挿通させることで、本体２に連結軸19,19（20,20）を中心にして上下回動自在に取付けられるようになっている。これにより、ステプラー１は、本体２に針収容ケース３を前後反転可能かつ着脱可能に設けている。
【００１９】
また、針収容ケース３は、ケーシング18の中心部に第一の針４を収容するための第一収容部21を前後方向に向けて伸延させた状態で形成するとともに、第一収容部21の外側に左右一対の隔壁22,22を介して第二の針５を収容するための第二収容部23を前後方向に向けて伸延させた状態で形成し、第一収容部21の前端部（針収容ケース３の前端部）には第一の針４を排出するための第一排出口24を形成し、第二収容部23の前端部（針収容ケース３の後端部）には第二の針５を排出するための第二排出口25を形成している。
【００２０】
また、針収容ケース３は、ケーシング18の前端部に左右一対のガイド壁26,26を形成し、このガイド壁26,26に沿って第一の針４を第一排出口24から下方に向けて排出させるための押出体27を昇降自在に取付けるとともに、押出体27の直下方にボス28を上方に向けて形成し、このボス28に押出体27を上方に向けて付勢するバネ29の下端部を取付け、バネ29の上端部を押出体27の下面に取付けている。
【００２１】
また、針収容ケース３は、ケーシング18の後端部に左右一対のガイド壁30,30を形成し、このガイド壁30,30に沿って第二の針５を第二排出口25から下方に向けて排出させるための押出体31を昇降自在に取付けるとともに、押出体31の直下方にボス32を上方に向けて形成し、このボス32に押出体31を上方に向けて付勢するバネ33の下端部を取付け、バネ33の上端部を押出体31の下面に取付けている。
【００２２】
これらの押出体27,31は、本体２の挟持体６に形成した押圧片８でバネ29,33の付勢力に抗して下方に押し下げられ、第一又は第二の針4,5を第一又は第二排出口24,25から押し出すようになっている。
【００２３】
さらに、針収容ケース３は、ケーシング18の前後端部に支持片34,35を上方に向けて形成するとともに、これらの支持片34,35の間にスライド軸36を取付け、スライド軸36に第一又は第二の針4,5を第一又は第二排出口24,25に向けて押圧するための第一押圧体37と第二押圧体38とを前後方向に向けてスライド移動自在に取付け、これら第一押圧体37と第二押圧体38との間にスプリング39を介設している。
【００２４】
ここで、第一押圧体37は、左右の隔壁22,22の外側に沿ってスライド移動するガイド片40,40の上部間に押圧片41を形成し、押圧片41の下部にスライド軸36に沿ってスライド移動するスライド片42を形成している。また、第二押圧体38は、左右の隔壁22,22の外側に沿ってスライド移動するガイド片43,43の上部間に押圧片44を形成し、押圧片44の下部にスライド軸36に沿ってスライド移動するスライド片45を形成している。そして、第一押圧体37は、スプリング39によって第一排出口24に向けて付勢され、押圧片41の前面で第一の針４を第一排出口24に向けて押圧しており、一方、第二押圧体38は、同じスプリング39によって第二排出口25に向けて付勢され、押圧片44の前面で第二の針５を第二排出口25に向けて押圧している。
【００２５】
ステプラー１は、以上に説明したように構成しており、本体２の挟持体６を上下に挟圧することによって、押圧片８で押出体27,31を下方に押し下げ、押出体27,31で第一又は第二の針4,5を第一又は第二排出口24,25から押し出し、第一又は第二排出口24,25の直下方の針受け溝9,10で第一及び第二の針4,5を受けて折曲するようにしている。
【００２６】
そして、上記ステプラー１では、本体２に針収容ケース３を前後反転可能かつ着脱可能に設けるとともに、針収容ケース３の前端部に第一の針４を排出する第一排出口24を形成する一方、針収容ケース３の後端部に第二の針５を排出する第二排出口25を形成している。
【００２７】
そのため、上記構成のステプラー１では、本体２に装着する針収容ケース３の前後の向きを変えるだけで１個の針収容ケース３で第一及び第二の針4,5の２種類の針を選択的に使用することができる。
【００２８】
これにより、上記構成のステプラー１では、２種類の針4,5を選択的に使用できるステプラー１でありながら、一般的な１種類のみの針を使用できるステプラーと同等のサイズ、重量、使い勝手、価格とすることができる。
【００２９】
また、上記ステプラー１では、第一の針４を第一排出口24へ向けて押圧する第一押圧体37と第二の針５を第二排出口25へ向けて押圧する第二押圧体38とを設けるとともに、これら第一押圧体37と第二押圧体38との間にスプリング39を介設している。
【００３０】
そのため、上記構成のステプラー１では、第一押圧体37を押圧するためのスプリング39と第二押圧体38を押圧するためのスプリング39とを１個のスプリング39で兼用することができるので、２種類の針4,5を選択的に使用できるステプラー１のさらなる小型軽量化や低コスト化を図ることができる。
【図面の簡単な説明】
【００３１】
【図１】本発明に係るステプラーを示す全体斜視図。
【図２】同正面図（ａ）、平面図（ｂ）、右側面図（ｃ）、背面図（ｄ）、底面図（ｅ）。
【図３】同断面側面図。
【図４】針収容ケースを示す平面図。
【符号の説明】
【００３２】
１  ステプラー                        ２  本体
３  針収容ケース                      ４  第一の針
５  第二の針                          ６  挟持体
７  針抜き                            ８  押圧片
9,10  針受け溝                        11  貫通孔
12  板バネ                            13  連結体
14  連結片                            15,16  連結板
17  連結孔                            18  ケーシング
19,20  連結軸                         21  第一収容部
22  隔壁                              23  第二収容部
24  第一排出口                        25  第二排出口
26  ガイド壁                          27  押出体
28  ボス                              29  バネ
30  ガイド壁                          31  押出体
32  ボス                              33  バネ
34,35  支持片                         36  スライド軸
37  第一押圧体                        38  第二押圧体
39  スプリング                        40  ガイド片
41  押圧片                            42  スライド片
43  ガイド片                          44  押圧片
45  スライド片
【要約】      （修正有）【課題】複数種類の針を選択的に使用できるように構成したステプラーの小型軽量化を図ること。【解決手段】本体２に複数種類の針を収容して、複数種類の針を選択的に使用できるように構成したステプラー１において、本体２に針収容ケース３を前後反転可能かつ着脱可能に設けるとともに、針収容ケース３の前端部に第一の針を排出する第一排出口を形成する一方、針収容ケース３の後端部に第二の針５を排出する第二排出口を形成することにした。【選択図】図１【図１】
0004332582.tif 000002
【図２】
0004332582.tif 000003
【図３】
0004332582.tif 000004
【図４】
0004332582.tif 000005